(57)【要約】【課題】余長分を有するハーネスが接続された接続機器を取付位置に取り付けた際に、接続機器の周辺部品とハーネスとの接触を防止する。【解決手段】ハーネスクリップ１０は、支持部材１３に対して固定される係止クリップ１５と、平板状の延設部１４とを備える。延設部１４は、前後方向と交叉する平板状に形成されて、車幅方向に略直線状に延びる。延設部１４の右側の端部１４ａ側の前面には、係止クリップ１５が設けられて前方へ突出している。延設部１４は、係止クリップ１５側から左側へ向かって延び、その左側の端部１４ｂが、取付状態のコネクタ接続部１７の位置よりも左側まで延びている。延設部１４の後面のうち係止クリップ１５の左側近傍には、ハーネス１２を係止する係止リング１６が固定的に設けられる。【選択図】図２
2019047629.tif 000002
【特許請求の範囲】
【請求項１】
ハーネスが接続された接続機器を第１方向の一側へ移動させて取付位置に取り付けた取付状態で、前記接続機器よりも前記第１方向の前記一側、且つ前記接続機器と前記ハーネスとの接続部よりも前記第１方向と交叉する第２方向の一側に配置される支持部材側から前記ハーネスを支持するハーネスクリップであって、
前記支持部材に固定される固定部と、
前記第１方向と交叉する板状に形成され、前記固定部の近傍の領域で前記ハーネスを支持し、前記固定部から少なくとも前記取付状態の前記接続部よりも前記第２方向の他側まで延びる延設部と、を備えた
ことを特徴とするハーネスクリップ。
【請求項２】
ハーネスが接続された接続機器を第１方向の一側へ移動させて取付位置に取り付けた取付状態で、前記接続機器よりも前記第１方向の前記一側、且つ前記接続機器と前記ハーネスとの接続部よりも前記第１方向と交叉する第２方向の一側に配置される支持部材側から前記ハーネスを支持するハーネスクリップであって、
前記支持部材に固定される固定部と、
前記固定部から前記第２方向の他側へ向かって延びる第１延設部と、
前記第１延設部の前記第２方向の前記他側の端部に傾動可能に支持され、前記第１延設部の前記端部から前記第２方向の前記他側へ向かって直線状に延びる収納位置と、前記収納位置から前記第１方向の他側へ傾動した作業位置との間を傾動可能な第２延設部と、
前記作業位置から前記第１方向の前記一側への前記第２延設部の傾動を前記収納位置までに規制する傾動規制部と、を備え、
前記第１延設部の前記端部は、前記取付状態の前記接続部よりも前記第２方向の前記一側に配置され、
前記収納位置の前記第２延設部は、前記第１延設部の前記端部から少なくとも前記取付状態の前記接続部よりも前記第２方向の前記他側まで延び、
前記第１延設部及び前記第２延設部は、前記ハーネスを支持する
ことを特徴とするハーネスクリップ。
【発明の詳細な説明】
【技術分野】
【０００１】
本発明は、ハーネスクリップに関する。
【背景技術】
【０００２】
特許文献１には、オーディオ機器の取付構造が記載されている。オーディオ機器は、インストルメントパネルに形成された開口内に挿入配置され、一対の支持部材を介してステアリングサポートメンバに支持される。オーディオ機器の後端面には、ワイヤハーネスが取り付けられている。
【先行技術文献】
【特許文献】
【０００３】
【特許文献１】特開２００２−２１１３２６号公報
【発明の概要】
【発明が解決しようとする課題】
【０００４】
特許文献１に記載のオーディオ機器（接続機器）を車体側へ取り付ける際には、先ずインストルメントパネルの開口内に予め配策されるワイヤハーネス（ハーネス）のコネクタを開口から車両後方へ引き出し、引き出したコネクタを取付前の接続機器に接続した後、接続機器をインストルメントパネルの開口内に挿入して所定の取付位置に取り付ける。このように、接続機器の取付時には、ハーネスをインストルメントパネルの開口から引き出して接続機器へ接続するので、ハーネスは、接続機器を取付位置に配置した状態で最低限必要な長さよりも長い余長分を有している。車体側に固定されるハーネスクリップを用いてハーネスを配索する場合には、ハーネスの余長分は、接続機器に接続されるコネクタに最も近い位置を支持するハーネスクリップとコネクタとの間のハーネスに設定される。このため、ハーネスをインストルメントパネルの開口から引き出して接続機器へ接続した後、接続機器をインストルメントパネルの開口内に挿入して取付位置に取り付けると、ハーネスの余長分が撓んでしまい、接続機器の前方のブラケット等の周辺部品に接触する可能性があり、周辺部品のエッジ等によってハーネスが断線してしまうおそれがある。
【０００５】
そこで、本発明は、余長分を有するハーネスが接続された接続機器を取付位置に取り付けた際に、接続機器の周辺部品とハーネスとの接触を防止することが可能なハーネスクリップの提供を目的とする。
【課題を解決するための手段】
【０００６】
上記課題を解決するため、本発明の第１の態様は、ハーネスが接続された接続機器を第１方向の一側へ移動させて取付位置に取り付けた取付状態で、接続機器よりも第１方向の上記一側、且つ接続機器とハーネスとの接続部よりも第１方向と交叉する第２方向の一側に配置される支持部材側からハーネスを支持するハーネスクリップであって、固定部と延設部とを備える。固定部は、支持部材に固定される。延設部は、第１方向と交叉する板状に形成され、固定部の近傍の領域でハーネスを支持し、固定部から少なくとも取付状態の接続部よりも第２方向の他側まで延びる。
【０００７】
上記構成では、ハーネスが接続された接続機器を第１方向の一側へ移動させて取付位置に取り付けるので、接続機器を取付位置に配置する前の取付前状態（取付位置よりも第１方向の他側に配置した状態）では、ハーネスが第１方向の上記他側に引き出される。すなわち、ハーネスには、取付状態で最低限必要な長さよりも長い余長分が設けられる。ハーネスの余長分は、ハーネスのうち、ハーネスクリップの延設部に支持される部分よりも接続機器との接続部（以下、単に接続部という）側の領域（以下、接続部側領域という。）に設定される。
【０００８】
固定部が、取付状態の接続部よりも第２方向（第１方向と交叉する方向）の一側に配置される支持部材に固定され、延設部が、固定部の近傍の領域でハーネスを支持して固定部から第２方向の他側へ延びるので、取付前状態では、ハーネスの接続部側領域は、延設部から第１方向の上記他側へ離間する。延設部は、第１方向と交叉する板状に形成され、固定部から第２方向の上記他側へ延びるので、接続機器を取付位置に配置する際に接続機器を第１方向の上記一側へ移動させると、接続機器の第１方向の上記一側への移動に伴って、ハーネスの接続部側領域が、延設部のうち固定部の近傍の領域から第２方向の上記他側へ向かって徐々に延設部に当接する。このため、ハーネスクリップの延設部よりも第１方向の上記一側へのハーネスの接続部側領域の移動を抑制することができるので、ハーネスクリップの延設部よりも第１方向の上記一側の周辺部品とハーネスとの接触を防止することができる。
【０００９】
また、延設部が、少なくとも取付状態の接続部よりも第２方向の上記他側まで延びるので、取付状態の接続部の第１方向の上記一側には、延設部が配置される。このように、接続機器を第１方向の上記一側へ移動させた際に接続機器側から第１方向の上記一側への力が大きく作用する領域（接続部の第１方向の上記一側）に延設部が配置されるので、接続機器側からの力が大きく作用する領域での周辺部品とハーネスとの接触を防止することができる。このため、ハーネスの接続部側領域に接続機器側からの力が大きく作用しても、延設部によってハーネスを好適に保護することができる。
【００１０】
本発明の第２の態様は、ハーネスが接続された接続機器を第１方向の一側へ移動させて取付位置に取り付けた取付状態で、接続機器よりも第１方向の上記一側、且つ接続機器とハーネスとの接続部よりも第１方向と交叉する第２方向の一側に配置される支持部材側からハーネスを支持するハーネスクリップであって、固定部と第１延設部と第２延設部と傾動規制部とを備える。固定部は、支持部材に固定される。第１延設部は、固定部から第２方向の他側へ向かって延びる。第２延設部は、第１延設部の第２方向の上記他側の端部に傾動可能に支持され、第１延設部の上記端部から第２方向の上記他側へ向かって直線状に延びる収納位置と、収納位置から第１方向の他側へ傾動した作業位置との間を傾動可能である。傾動規制部は、作業位置から第１方向の上記一側への第２延設部の傾動を収納位置までに規制する。第１延設部の上記端部は、取付状態の接続部よりも第２方向の上記一側に配置される。収納位置の第２延設部は、第１延設部の上記端部から少なくとも取付状態の接続部よりも第２方向の上記他側まで延びる。第１延設部及び第２延設部は、ハーネスを支持する。
【００１１】
上記構成では、上記第１の態様と同様に、ハーネスには、取付状態で最低限必要な長さよりも長い余長分が設けられる。ハーネスの余長分は、ハーネスクリップの第２延設部に支持される部分よりも接続機器との接続部（以下、単に接続部という）側の領域（以下、接続部側領域という。）に設定される。
【００１２】
固定部が、取付状態の接続部よりも第２方向（第１方向と交叉する方向）の一側に配置される支持部材に固定され、第１延設部が、固定部から第２方向の他側へ延び、第２延設部が第１延設部の第２方向の上記他側の端部に傾動可能に支持される。第２延設部は、第１延設部の上記端部から第２方向の上記他側へ向かって直線状に延びる収納位置と、収納位置から第１方向の他側へ傾動した作業位置との間を傾動可能であり、第１延設部及び第２延設部がハーネスを支持する。このため、上記取付前状態では、ハーネスの接続部側領域が第２延設部に支持された状態で、第２延設部が収納位置から傾動して作業位置に配置され、取付状態にする際に接続機器を第１方向の上記一側へ移動させると、ハーネスの接続部側領域が第２延設部に支持された状態で、第２延設部が作業位置から収納位置側へ傾動する。
【００１３】
傾動規制部は、作業位置から第１方向の上記一側への第２延設部の傾動を収納位置までに規制するので、接続機器を取付位置に配置する際に接続機器を第１方向の上記一側へ移動させると、接続機器の第１方向の上記一側への移動に伴って、ハーネスの接続部側領域が、第２延設部と共に第１方向の上記一側へ移動し、第２延設部が収納位置に到達すると、ハーネスの接続部側領域の第１方向の上記一側への移動が規制される。このため、ハーネスクリップの第１延設部及び第２延設部よりも第１方向の上記一側へのハーネスの接続部側領域の移動を抑制することができるので、ハーネスクリップの第１延設部及び第２延設部よりも第１方向の上記一側の周辺部品とハーネスとの接触を防止することができる。
【００１４】
また、収納位置の第２延設部が、少なくとも取付状態の接続部よりも第２方向の上記他側まで延びるので、取付状態の接続部の第１方向の上記一側には、収納位置の第２延設部が配置される。このように、接続機器を第１方向の上記一側へ移動させた際に接続機器側から第１方向の上記一側への力が大きく作用する領域（接続部の第１方向の上記一側）に収納位置の第２延設部が配置されるので、接続機器側からの力が大きく作用する領域での周辺部品とハーネスとの接触を防止することができる。このため、ハーネスの接続部側領域に接続機器側からの力が大きく作用しても、収納位置の第２延設部によってハーネスを好適に保護することができる。
【発明の効果】
【００１５】
本発明によれば、余長分を有するハーネスが接続された接続機器を取付位置に取り付けた際に、接続機器の周辺部品とハーネスとの接触を防止することができる。
【図面の簡単な説明】
【００１６】
【図１】車両のインストルメントパネルの斜視図である。
【図２】本発明の第１実施形態に係るハーネスクリップの説明図であり、（ａ）は電子機器を取り付ける前の状態を、（ｂ）は電子機器を取り付けた状態をそれぞれ示す。
【図３】ハーネスクリップの平面図である。
【図４】ハーネスクリップのハーネス支持部の斜視図である。
【図５】第２実施形態に係るハーネスクリップの説明図であり、（ａ）は電子機器を取り付ける前の状態を、（ｂ）は電子機器を取り付けた状態をそれぞれ示す。
【図６】ハーネスクリップの傾動規制部を説明するための概略斜視図である。
【発明を実施するための形態】
【００１７】
以下、本発明の第１実施形態を図面に基づいて説明する。なお、各図において、ＦＲは車両の前方を、ＵＰは上方を、ＩＮは車幅方向内側をそれぞれ示す。また、以下の説明において、左右方向は車両前方を向いた状態での左右方向を意味する。
【００１８】
図１に示すように、車両１の車室２の前方に配置されるインストルメントパネル３には、オーディオ機器やナビゲーション装置のモニタ等の複数の電子機器（接続機器）１１が取り付けられる。インストルメントパネル３は、車室２の前方で車幅方向に沿って延びる樹脂製のパネルであって、複数の電子機器１１を取り付けるための開口４が形成される。電子機器１１は、インストルメントパネル３の開口４に対して後方から前方（前後方向（第１方向）の前側（一側））へ挿入されて車体側へ取り付けられる。
【００１９】
図２（ａ）及び図２（ｂ）に示すように、インストルメントパネル３よりも前方、且つインストルメントパネル３の開口４よりも車幅方向の右側（第２方向の一側）には、車体側の支持部材１３が設けられる。電子機器１１を車体側へ取り付けた取付状態（図２（ｂ）に示す状態）では、支持部材１３は、電子機器１１から前方へ離間し、且つ電子機器１１よりも右側（第２方向の一側）に配置される。支持部材１３は、前後方向に貫通するクリップ係止孔５を有する。クリップ係止孔５は、車幅方向に長孔状に形成され、取付状態の電子機器１１とハーネス１２との接続部１７（以下、コネクタ接続部１７と称する。）と略同じ高さ位置に配置される。
【００２０】
電子機器１１をインストルメントパネル３側の所定の位置（図２（ｂ）の電子機器１１の位置）へ取り付ける際には、先ず、インストルメントパネル３内に配策されたハーネス１２をインストルメントパネル３の開口４から後方へ引き出し、引き出したハーネス１２のコネクタ（図示省略）を取付前の電子機器１１の前面１１ａ側のコネクタ（図示省略）に接続する（図２（ａ）参照）。次に、電子機器１１を前方へ移動してインストルメントパネル３の開口４へ挿入し、車体側へ固定する（図２（ｂ）参照）。ハーネス１２の長さは、ハーネス１２のコネクタをインストルメントパネル３の開口４から後方へ引き出し可能な長さに設定される。すなわち、ハーネス１２には、電子機器１１を上記所定の位置へ取り付けた取付状態で最低限必要な長さよりも長い余長分１２ａが設けられる。ハーネス１２は、ハーネスクリップ１０によって支持部材１３に対して取り付けられる。ハーネス１２の余長分１２ａは、ハーネス１２のうちハーネスクリップ１０に支持される部分よりも電子機器１１に接続されるコネクタ側の領域１９（以下、接続部側領域１９と称する。）に含まれる。
【００２１】
図２（ａ）、図２（ｂ）、及び図３に示すように、本実施形態に係るハーネスクリップ１０は、支持部材１３に対して固定される係止クリップ（固定部）１５と、平板状の延設部１４とを備える。
【００２２】
係止クリップ１５は、支持部材１３のクリップ係止孔５に係止可能なクリップであって、支持部材１３のクリップ係止孔５に係止された状態で、前後方向を軸とした回転が規制される。以下では、ハーネスクリップ１０に関する方向は、係止クリップ１５を支持部材１３のクリップ係止孔５に係止した状態での方向を示す。
【００２３】
延設部１４は、前後方向と交叉する平板状に形成されて、取付状態のコネクタ接続部１７と略同じ高さ位置で車幅方向に略直線状に延びる。延設部１４の右側の端部１４ａ側の前面には、係止クリップ１５が設けられて前方へ突出している。延設部１４は、係止クリップ１５側から左側（第２方向の他側）へ向かって延び、その左側の端部１４ｂが、取付状態のコネクタ接続部１７の位置（図２（ｂ）に一点鎖線７で示す位置）よりも左側まで延びている。延設部１４の後面のうち係止クリップ１５の左側近傍には、ハーネス１２を係止する係止リング１６が固定的に設けられる。
【００２４】
図２（ａ）、図２（ｂ）、及び図４に示すように、係止リング１６は、取付状態のコネクタ接続部１７の位置よりも右側（本実施形態では、インストルメントパネル３の開口４よりも右側）に配置され、延設部１４の後面との間にハーネス１２が挿通するハーネス挿通空間１８を区画する。すなわち、延設部１４は、係止クリップ１５の近傍の領域でハーネス１２を支持する。なお、延設部１４がハーネス１２を支持する方法は、係止リング１６に限定されず、例えば、延設部１４及びハーネス１２に対して粘着テープを巻き付けてハーネス１２を延設部１４に固定することによって、延設部１４がハーネス１２を支持してもよい。
【００２５】
上記のように構成されたハーネスクリップ１０では、インストルメントパネル３の開口４から後方へ引き出したハーネス１２のコネクタを取付前の電子機器１１に接続した後、電子機器１１を前方へ移動してインストルメントパネル３の開口４へ挿入すると、ハーネス１２の接続部側領域１９は、係止リング１６側から左側へ向かって徐々に延設部１４の後面に当接していく（図２（ｂ）参照）。このため、ハーネスクリップ１０の延設部１４よりも前方へのハーネス１２の接続部側領域１９の移動を抑制することができるので、延設部１４よりも前方の周辺部品６（図２（ａ）及び図２（ｂ）参照）とハーネス１２との接触を防止することができる。
【００２６】
また、延設部１４の左側の端部１４ｂは、取付状態のコネクタ接続部１７の位置よりも左側に配置されるので、取付状態のコネクタ接続部１７の前方には、延設部１４が配置される。このように、電子機器１１をインストルメントパネル３の開口４へ挿入する際に、コネクタ接続部１７から前方への力が大きく作用する領域（コネクタ接続部１７の前方）にハーネスクリップ１０の延設部１４が配置されるので、コネクタ接続部１７から前方への力が大きく作用する領域での周辺部品６とハーネス１２との接触を防止することができる。このため、電子機器１１を取り付ける際に、ハーネス１２の接続部側領域１９に前方への大きな力が作用しても、延設部１４によってハーネス１２を好適に保護することができる。
【００２７】
このように、本実施形態によれば、余長分１２ａを有するハーネス１２が接続された電子機器１１を取付位置に取り付けた際に、電子機器１１の周辺部品６とハーネス１２との接触を防止することができる。
【００２８】
次に、本発明の第２実施形態を図面に基づいて説明する。本実施形態のハーネスクリップ３０は、傾動可能な２つの延設部３２，３３を有する点で第１実施形態と相違する。なお、第１実施形態と同様の構成については同一の符号を付してその説明を省略する。
【００２９】
図５（ａ）、図５（ｂ）、及び図６に示すように、本実施形態に係るハーネスクリップ３０は、支持部材１３に対して固定される係止クリップ（固定部）３１と、平板状の第１延設部３２と、平板状の第２延設部３３と、傾動規制板（傾動規制部）３４とを備える。ハーネス１２の余長分１２ａは、ハーネス１２のうちハーネスクリップ３０の後述する第２係止リング３７に支持される部分よりも電子機器１１に接続されるコネクタ側の領域３８（以下、接続部側領域３８と称する。）に含まれる。
【００３０】
係止クリップ３１は、支持部材１３のクリップ係止孔５に係止可能なクリップであって、支持部材１３のクリップ係止孔５に係止された状態で、前後方向を軸とした回転が規制される。以下では、ハーネスクリップ３０に関する方向は、係止クリップ３１を支持部材１３のクリップ係止孔５に係止した状態での方向を示す。
【００３１】
第１延設部３２は、前後方向と交叉する平板状に形成されて、取付状態のコネクタ接続部１７と略同じ高さ位置で車幅方向に略直線状に延びる。第１延設部３２の右側の端部３２ａ側の前面には、係止クリップ３１が設けられて前方へ突出している。第１延設部３２は、係止クリップ３１側から左側（第２方向の他側）へ向かって延び、その左側の端部３２ｂが、取付状態のコネクタ接続部１７の位置（図５（ｂ）に一点鎖線７で示す位置）よりも右側（本実施形態では、インストルメントパネル３の開口４よりも右側）に配置される。第１延設部３２の後面のうち係止クリップ３１の左側近傍には、第１係止リング３５が固定的に設けられる。第１係止リング３５は、第１延設部３２の後面との間にハーネス１２が挿通するハーネス挿通空間（図示省略）を区画する。なお、第１延設部３２がハーネス１２を支持する方法は、第１係止リング３５に限定されず、例えば、第１延設部３２及びハーネス１２に対して粘着テープを巻き付けてハーネス１２を第１延設部３２に固定することによって、第１延設部３２がハーネス１２を支持してもよい。
【００３２】
第２延設部３３は、平板状に形成されて、第２延設部３３及び第１延設部３２よりも薄肉の薄肉部３６を介して第１延設部３２の左側の端部３２ｂから連続して左側へ延びる。薄肉部３６は、第２延設部３３と第１延設部３２とを互いに傾動可能に連結する。第２延設部３３の右側（第２方向の一側）の端部３３ａは、第１延設部３２の左側の端部３２ｂに薄肉部３６を介して傾動自在に支持される。第２延設部３３は、第１延設部３２から左側へ向かって、第１延設部３２の延設方向に沿って略直線状に延びる収納位置（図５（ｂ）参照）と、第２延設部３３の左側の端部３３ｂが収納位置から後方へ傾動した作業位置（図５（ａ）参照）との間を傾動可能である。収納位置の第２延設部３３の左側の端部３３ｂは、取付状態のコネクタ接続部１７の位置（図５（ｂ）に一点鎖線７で示す位置）よりも左側に配置される。第２延設部３３の後面側には、第２係止リング３７が固定的に設けられる。第２係止リング３７は、第２延設部３３の後面との間にハーネス１２が挿通するハーネス挿通空間（図示省略）を区画する。なお、第２延設部３３がハーネス１２を支持する方法は、第２係止リング３７に限定されず、例えば、第２延設部３３及びハーネス１２に対して粘着テープを巻き付けてハーネス１２を第２延設部３３に固定することによって、第２延設部３３がハーネス１２を支持してもよい。
【００３３】
傾動規制板３４は、第１延設部３２の左側の前面に固定され、第１延設部３２の左側の端部３２ｂよりも左側へ直線状に延びる。すなわち、第１延設部３２と第２延設部３３との接続部分（本実施形態では、薄肉部３６）は、傾動規制板３４の後面に近接又は接触する位置に配置される。傾動規制板３４のうち第１延設部３２よりも左側へ突出する領域は、第２延設部３３に固定されず、収納位置から作業位置側（後側）への第２延設部３３の傾動を許容するとともに、収納位置の第２延設部３３に前方から当接し、作業位置から前方への第２延設部３３の傾動を収納位置までに規制する。
【００３４】
上記のように構成されたハーネスクリップ３０では、ハーネス１２のコネクタを取付前の電子機器１１に接続するために、ハーネス１２のコネクタをインストルメントパネル３の開口４から後方へ引き出すと、第２延設部３３がハーネス１２の移動に伴って薄肉部３６を軸として後方へ傾動する。インストルメントパネル３の開口４から後方へ引き出したハーネス１２のコネクタを取付前の電子機器１１に接続した後、電子機器１１を前方へ移動してインストルメントパネル３の開口４へ挿入すると、ハーネス１２の接続部側領域３８が、第２延設部３３を前方へ押圧し、第２延設部３３を作業位置から収納位置側へ傾動（移動）させる。収納位置に到達した第２延設部３３は、傾動規制板３４に当接し、収納位置よりも前方への傾動が規制される。このため、ハーネスクリップ３０の収納位置の第２延設部３３よりも前方へのハーネス１２の接続部側領域３８の移動を抑制することができるので、収納位置の第２延設部３３よりも前方の周辺部品６とハーネス１２との接触を防止することができる。
【００３５】
また、収納位置の第２延設部３３の左側の端部３３ｂは、取付状態のコネクタ接続部１７の位置よりも左側に配置されるので、取付状態のコネクタ接続部１７の前方には、収納位置の第２延設部３３が配置される。このように、電子機器１１をインストルメントパネル３の開口４へ挿入する際に、コネクタ接続部１７から前方への力が大きく作用する領域（コネクタ接続部１７の前方）にハーネスクリップ３０の第２延設部３３が配置されるので、コネクタ接続部１７から前方への力が大きく作用する領域での周辺部品６とハーネス１２との接触を防止することができる。このため、電子機器１１を取り付ける際にハーネス１２の接続部側領域３８に前方への大きな力が作用しても、収納位置の第２延設部３３によってハーネス１２を好適に保護することができる。
【００３６】
従って、本実施形態によれば、余長分１２ａを有するハーネス１２が接続された電子機器１１を取付位置に取り付けた際に、電子機器１１の周辺部品６とハーネス１２との接触を防止することができる。
【００３７】
なお、本実施形態では、平板状の第１延設部３２を設けたが、第１延設部３２の形状は、これに限定されるものではなく、例えば、棒状の第１延設部３２を設けてもよい。また、第１延設部３２と同様に第２延設部３３の形状も平板状に限定されるものではない。
【００３８】
また、本実施形態では、第１延設部３２と第２延設部３３との間に薄肉部３６を設けることによって、第２延設部３３を第１延設部３２に対して傾動自在としたが、第２延設部３３を第１延設部３２に対して傾動自在とする構造は、これに限定されるものではない。例えば、第１延設部３２と第２延設部３３とを傾動自在に連結するヒンジを設けて、第２延設部３３を第１延設部３２に対して傾動自在としてもよい。
【００３９】
また、本実施形態では、第１延設部３２の左側の前面に固定され、第１延設部３２の左側の端部３２ｂよりも左側へ突出する傾動規制板３４を設け、第２延設部３３の前方への傾動を収納位置までに規制する傾動規制部として機能させたが、傾動規制部はこれに限定されるものではない。例えば、上述したように、第１延設部３２と第２延設部３３とを傾動自在に連結するヒンジを設けた場合には、収納位置で第２延設部３３の右側の端面と第１延設部３２の左側の端面とを当接させることによって、第２延設部３３の前方への傾動を収納位置までに規制してもよい。すなわち、第２延設部３３の右側の端面及び第１延設部３２の左側の端面を傾動規制部として機能させてもよい。
【００４０】
以上、本発明について、上記実施形態に基づいて説明を行ったが、本発明は上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【００４１】
例えば、上記第１実施形態及び上記第２実施形態では、支持部材１３のクリップ係止孔５に係止可能な係止クリップ１５，３１を設け、ハーネスクリップ１０，３０を支持部材１３に対して固定する固定部として機能させたが、固定部はこれに限定されるものではない。例えば、棒状の支持部材を両側から挟持して支持部材に取り付けられる挟持クリップ（固定部）であってもよいし、或いは、支持部材に対してボルト等によって締結固定する固定部であってもよい。
【００４２】
また、接続機器（電子機器１１）を取り付ける際の接続機器の移動方向（第１方向の一側）は前方に限定されるものではない。接続機器の移動方向（第１方向の一側）と交叉する方向は、車幅方向に限定されない。
【符号の説明】
【００４３】
１０，３０：ハーネスクリップ
１１：電子機器（接続機器）
１２：ハーネス
１３：支持部材
１４：延設部
１５，３１：係止クリップ（固定部）
３２：第１延設部
３３：第２延設部
３４：傾動規制板（傾動規制部）
【図１】
2019047629.tif 000003
【図２】
2019047629.tif 000004
【図３】
2019047629.tif 000005
【図４】
2019047629.tif 000006
【図５】
2019047629.tif 000007
【図６】
2019047629.tif 000008